(57)【要約】      （修正有）【課題】ゴミの分別のみならず、その他の物品であっても二分類して収納できるほか、設置場所に応じて可変的に配置できる可変容器を提供する。【解決手段】頂面１２ａ、２２ａに半円開口部１３、２３を有して垂直壁部１６、２６側を対面側として配置される一側容器部１２と他側容器部２２とは、垂直壁部１６、２６の一方の側で隣り合う一側縦辺部１７、２７を連結するヒンジ手段３２を介して垂直壁部１６、２６の密接位置から面一となる１８０度開放位置へと至る任意角度内での回動を自在に配置するとともに、垂直壁部１６、２６の他方の側で隣り合う他側縦辺部は、止着手段を介して垂直壁部１６、２６相互の密接維持を自在とし、半円開口部１３、２３のそれぞれには、垂直壁部１６、２６の密接時にその全体で二分割ハート型開口面を形成する部分施蓋部１９、２９を覆設した。【選択図】図１
0003229164.tif 000002
【実用新案登録請求の範囲】
【請求項１】
それぞれが頂面に同一面サイズの半円開口部を有する略二つ割り円柱形状を呈して垂直壁部側を相互の対面側として配置される一側容器部と他側容器部とを少なくとも備え、
これら一側容器部と他側容器部とは、前記垂直壁部のいずれか一方の側で隣り合う一側縦辺部相互を連結するヒンジ手段を介して前記垂直壁部の密接位置から相互が面一となる１８０度開放位置へと至る任意角度内での回動を自在に配置するとともに、
前記垂直壁部の他方の側で隣り合う他側縦辺部相互は、止着手段を介して前記垂直壁部相互の密接状態の維持を自在とし、
前記半円開口部のそれぞれには、前記垂直壁部相互の密接閉止時にその全体で二分割ハート型開口面を区画形成すべく各開口縁部の近傍部位に部分施蓋部を覆設したことを特徴とする可変容器。
【請求項２】
前記部分施蓋部は、文字を含む各種のキャラクターの表示や適宜の彩色が自在な自由表示領域である請求項１に記載の可変容器。
【請求項３】
前記一側容器部と前記他側容器部とは、その用途および配置場所に対応させた各種の適宜サイズを付与して形成した請求項１または２に記載の可変容器。
【考案の詳細な説明】
【技術分野】
【０００１】
本考案は、可燃物と不燃物とに分別収納できるゴミ分別容器やゴミ以外の例えばアクセサリー用品などのような適宜の日用品を二種類に分類して収納することができる保管容器として設置場所の状況に対応させて配置形態を変化させることができる興趣に富む可変容器に関する技術である。
【背景技術】
【０００２】
通常、家庭ゴミは、少なくとも不燃物と可燃物とに分別しておき、それぞれに応じた回収日にゴミ収集車に収集してもらうシステムが採用されており、不燃物と可燃物とを混在させてゴミ出しした場合には回収してもらえず、置き去りにされてしまうことになる。
【０００３】
このような分別ゴミ出しシステムのもとでは、２種類のゴミが混じり合うことのないように確実に分別して収納しておくことができる分別ゴミ容器が必要であることから、従来より例えば特許文献１に開示されているようなゴミ容器が既に提案されている。
【先行技術文献】
【特許文献】
【０００４】
【特許文献１】実用新案登録第３１９２６７０号公報
【０００５】
すなわち、特許文献１には、内部にあらかじめ２枚のゴミ袋を装着しておく必要のないゴミ箱として、容器の開口面の１／２を覆うつまみ付きの蓋と、蝶番を介して蓋に回動自在に連結させた仕切りとからなる分類具を容器に配置してなる分類が可能なゴミ箱が開示されている。
【０００６】
このため、ゴミを分類収納するに際しては、容器の開口面の一方の側を覆う蓋を他方の側を覆う方向へと回動させてつまみを容器に当接させることで、蓋のない側にごみを分類投入できることになる。
【考案の概要】
【考案が解決しようとする課題】
【０００７】
しかし、特許文献１の分類が可能なゴミ箱による場合には、ゴミ箱自体の全体形状に変化はなく、ゴミの種類に応じて蓋を一方の側から他方の側へと、他方の側から一方の側へと、その都度回動させて半分を塞ぐことにより分類できるものの、蓋を操作しなければならない煩雑さがあるばかりでなく、単に容器内の仕切りを介してごみが分類されているに過ぎない結果、ゴミを捨てる際に一方の種類のゴミと他方の種類のゴミとが混じり合わないように特段の注意を要するという不都合があった。
【０００８】
本考案は、従来技術にみられた上記課題に鑑みてなされたものであり、可燃物と不燃物とに分別収納できるゴミ分別容器のみならず、ゴミ以外の例えばアクセサリー用品などの適宜の日用品を二種類に分類して収納することもできる多様性に富む容器として設置場所の状況に対応させて配置形態を変化させることができる興趣に富む可変容器を提供することをその目的とする。
【課題を解決するための手段】
【０００９】
本考案は、上記目的を達成すべくなされたものであり、それぞれが頂面に同一面サイズの半円開口部を有する略二つ割り円柱形状を呈して垂直壁部側を相互の対面側として配置される一側容器部と他側容器部とを少なくとも備え、これら一側容器部と他側容器部とは、前記垂直壁部のいずれか一方の側で隣り合う一側縦辺部相互を連結するヒンジ手段を介して前記垂直壁部の密接位置から相互が面一となる１８０度開放位置へと至る任意角度内での回動を自在に配置するとともに、前記垂直壁部の他方の側で隣り合う他側縦辺部相互は、止着手段を介して前記垂直壁部相互の密接状態の維持を自在とし、前記半円開口部のそれぞれには、前記垂直壁部相互の密接閉止時にその全体で二分割ハート型開口面を区画形成すべく各開口縁部の近傍部位に部分施蓋部を覆設したことを最も主要な特徴とする。
【００１０】
この場合、前記部分施蓋部は、文字を含む各種のキャラクターの表示や適宜の彩色が自在な自由表示領域とすることができる。また、前記一側容器部と前記他側容器部とは、その用途および配置場所に対応させた各種の適宜サイズを付与して形成することもできる。
【考案の効果】
【００１１】
このため、請求項１に記載の考案によれば、それぞれが独立した存在である一側容器部と他側容器部との組み合わせからなる可変容器は、二種類に分類された物品のうち、一方の側には一方の種類を、他方の側には他方の種類をそれぞれ確実に仕分けして収納し、その取り出しも各別に容易に行うことができるので、使用者の要望に柔軟に応じ得る多様性と効率性とに富む用途に好適な分別容器として提供することができる。
【００１２】
また、一側容器部と他側容器部とは、ヒンジ手段を介して回動自在に連結することで垂直壁部相互の密接位置から１８０度開放位置へと至る任意角度内で位置移動させることができるので、例えば設置場所が机上等であれば止着手段を閉止させた安定した円筒状のもとで、柱など４５度の直角隅部に対しては止着手段を解除して４５度に開いて、壁面などの平坦な垂直面に対してはその面方向に沿わせるべく１８０度に開くなど、設置場所の具体的な状況に対応させることができる。
【００１３】
しかも、半円開口部のそれぞれには、その全体で二分割ハート型開口面を区画形成するための部分施蓋部が覆設されているので、止着手段を閉止させた垂直壁部相互の密接維持時には興趣に富む二分割ハート型開口面を形成しつつ、収納した物品の飛び出し阻止のための障壁や、中を覗き見しずらくする目隠しとしての機能を付与することができる。
【００１４】
さらに、一側容器部と他側容器部とを回動させた際には、部分施蓋部で覆われた半円開口部相互間にあたかも蝶の飛翔状態を彷彿とさせる幾何学的模様を現出させながら興趣に富む動的視覚印象を感受させることで使う者の心を和ませることができる。
【００１５】
また、請求項２に記載の考案によれば、部分施蓋部を文字を含む各種のキャラクターの表示や適宜の彩色が自在な余白面である自由表示領域とすることで、好みに応じた創作的表示面として有効に活用することで商品訴求力をより高めることができる。
【００１６】
さらに、請求項３に記載の考案によれば、一側容器部と他側容器部とは、その用途および配置場所に対応させた適宜のサイズを付与して形成することができるので、例えば小・中・大の各種サイズを用意することで多様なニーズに柔軟に対応させ得る可変容器として提供することができる。
【図面の簡単な説明】
【００１７】
【図１】本考案の一例についての使用時における状態例を示す全体斜視図。
【図２】本考案の他例についての使用時における状態例を示す全体斜視図。
【図３】図１に示す例についての可変状態を示す平面図であり、そのうちの（ａ）は垂直壁部相互を密接させた際の状態を示す平面図を、（ｂ）は垂直壁部相互を９０度離反させた状態を、（ｃ）は垂直壁部相互を１８０度離反させた状態を、それぞれ示す。
【図４】止着手段が嵌着構造である場合を例に垂直壁部相互をやや開いた状態で示す全体斜視図。
【図５】図４に示す嵌着構造の一例を示す要部拡大説明図であり、そのうちの（ａ）は嵌合状態を解除した際を、（ｂ）は嵌合止着した状態をそれぞれ示す。
【図６】本考案の配置例を模式的に示す説明図であり、そのうちの（ａ）は柱等の直角隅部に配置した際の状態を、（ｂ）は壁面等の垂直面に沿わせて配置した際の状態をそれぞれ示す。
【考案を実施するための形態】
【００１８】
可変容器１１の全体は、図１からも明らかなようにそれぞれが頂面１２ａ，２２ａに同一面サイズの半円開口部１３，２３を有する略二つ割り円柱形状を呈して垂直壁部１６，２６側を相互の対面側として左右対称の立体形状を呈するように配置される一側容器部１２と他側容器部２２とで構成されている。
【００１９】
すなわち、左右対称の立体形状を呈するこれら一側容器部１２と他側容器部２２とは、平面視半円形状を呈する底部１４，２４と、底部１４，２４の弧状周縁１４ａ，２４ａ側に立設された弧状壁部１５，２５と、底部１４，２４の直線縁１４ｂ，２４ｂ側に立設されて弧状壁部１５，２５の一側開放端１５ａ，２５ａと他側開放端１５ｂ，２５ｂとの間を各別に閉止する垂直壁部１６，２６とで形成されている。
【００２０】
この場合、半円開口部１３，２３と底部１４，２４とは、同一の外径とすることができるほか、底部１４，２４の外径を半円開口部１３，２３の外径よりも縮径させることでテーパー付きの一側容器部１２と他側容器部２２として形成することもできる。
【００２１】
しかも、一側容器部１２と他側容器部２２とは、全体強度との関係で定まる適宜厚さのポリプロピレン等の合成樹脂材やアルミニウムやステンレススチール等の金属材のほか、適宜の木材を用いて形成することもできる。また、一側容器部１２と他側容器部２２とを組み合わせてなる可変容器１１の全体サイズについては、設置場所や収納物品の種類に応じて例えば小・中・大の各サイズを用意することができる。具体的には、小サイズの一側容器部１２と他側容器部２２とについては、底部１４，２４の外径が９．５ｃｍで、半円開口部１３，２３の外径が１１ｃｍで、高さが１２ｃｍの机上や化粧台用の可変容器１１とし、中サイズの一側容器部１２と他側容器部２２とについては、底部１４，２４の外径が１５ｃｍで、半円開口部１３，２３の外径が１７ｃｍで、高さが１９ｃｍの居間や個々の部屋用の可変容器１１とし、大サイズの一側容器部１２と他側容器部２２とについては、底部１４，２４の外径が２０ｃｍで、半円開口部１３，２３の外径が２４ｃｍで、高さが２６ｃｍのキッチンや洗面所や事務室用の可変容器１１とするなど、所望に応じた各種サイズのものを提供することができる。
【００２２】
このようにして形成される一側容器部１２と他側容器部２２とは、垂直壁部１６，２６のいずれか一方の側で隣り合う一側縦辺部１７，２７相互を連結するヒンジ手段３２を介して垂直壁部１６，２６の密接位置から相互が面一となる１８０度開放位置へと至る任意角度内での回動を自在に配置されることになる。
【００２３】
ここで用いられるヒンジ手段３２については、例えば図１に示すように一側容器部１２の一側縦辺部１７と他側容器部２２の一側縦辺部２７とに交互での組み合わせを自在とした連結管部３３，３４を付設しておき、連結管部３３，３４相互を組み合わせた際に上下方向で連続する軸支孔３３ａ，３４ａに支軸３５を差し込んで連結して回動自在に軸支する構造のものを用いることができるほか、図２に示すような蝶番３６を付設したり、さらには、シリコーンゴムのような可撓性樹脂製丁番（図示省略）を介在配置させたり、一側容器部１２の一側縦辺部１７と他側容器部２２の一側縦辺部２７との間に一体構造の丁番を設けて相互を連結させたりするなど、所望に応じて一側容器部１２の一側縦辺部１７の側と他側容器部２２の一側縦辺部２７の側とを回動自在に連結できる公知の適宜構造のものを採用することができる。
【００２４】
一方、垂直壁部１６，２６の他方の側で隣り合う他側縦辺部１８，２８相互は、図４に示すような止着手段４２を介して例えば図１や図３（ａ）に示すような垂直壁部１６，２６相互の密接時における状態維持を自在に形成されている。
【００２５】
ここで用いられる止着手段４２については、例えば図４や図５（ａ）に示すように一側容器部１２の他側縦辺部１８の適宜位置にある当接端面１８ａに嵌合用凹部４３を、他側容器部２２の他側縦辺部２８の対応位置にある当接端面２８ａに嵌合用凸部４４をそれぞれ設けておき、垂直壁部１６，２６相互の密接時である一側容器部１２の他側縦辺部１８の当接端面１８ａと他側容器部２２の他側縦辺部２８の当接端面２８ａとの当接時に嵌合用凹部部４３と嵌合用凸部４４とが図５（ｂ）に示すように嵌合する止着構造のものを用いることができる。また、止着手段４２については、図４に示す例以外にも、一方の他側縦辺部１８側に掛止軸（図示せず）を、他方の他側縦辺部２８側の対応位置にフック材（図示せず）をそれぞれ付設しておき、垂直壁部１６，２６相互の密接時にフック材を掛止軸に掛止できる掛止構造タイプや、一方の他側縦辺部１８の当接端面１８ａにフックテープ材（図示せず）を、他方の他側縦辺部２８の当接端面２８ａにループテープ材(図示せず）をそれぞれ付設しておき、垂直壁部１６，２６相互を密接させた際に密着状態を維持できる面ファスナー（登録商標「マジックテープ」）構造など、所望に応じて接離自在な公知の適宜構造のものを採用することができる。
【００２６】
しかも、一側容器部１２の半円開口部１３と他側容器部の半円開口部２３とには、それぞれの開口縁部１３ａ，２３ａの近傍部位に部分施蓋部１９，２９を覆設することで、垂直壁部１６，２６相互の密接閉止時における可変容器１１に図３（ａ）に示されているような二分割ハート型開口面１１ａが合成できるよう区画形成されている。なお、この場合における部分施蓋部１９，２９については、文字を含む各種のキャラクターの表示や適宜の彩色が自在な余白面である自由表示領域４５としての利用を自在に形成することもできる。
【００２７】
次に、上記構成からなる本考案の作用・効果を図示例に基づいて説明すれば、それぞれが独立した存在である一側容器部１２と他側容器部２２との組み合わせからなる可変容器１１は、二種類に分類された物品のうち、一方の側には一方の種類を、他方の側には他方の種類をそれぞれ確実に仕分けして収納し、その取り出しも容易に行うことができるので、使用者の要望に柔軟に応じ得る多様性と効率性とに富む多様な用途に好適な分別用の容器として提供することができる。
【００２８】
また、一側容器部１２と他側容器部２２とは、ヒンジ手段３２を介して回動自在に連結することで図３（ａ）〜（ｃ）に示すように垂直壁部１６，２６相互の密接位置から１８０度開放位置へと至る任意角度内で位置移動させることができる。したがって、例えば設置場所が机上等であれば止着手段４２を止着させた図３（ａ）に示す安定した円筒状の可変容器１１として配置でき、設置場所が図６（ａ）に示すような柱などの４５度の直角隅部５１であれば止着手段４２による止着状態を解除して４５度に開いて配置でき、設置場所が図６（ｂ）に示すよう壁面などの平坦な垂直面５２であればその面方向に沿わせるべく１８０度に開いて配置するなど、設置場所の具体的な状況に柔軟に対応させながら最適状態のもとで配置することができる。
【００２９】
しかも、半円開口部１３，２３のそれぞれには、その全体で二分割ハート型開口面１１ａを区画形成するための部分施蓋部１９，２９が覆設されているので、図３（ａ）に示すような止着手段４２を止着させた垂直壁部１６，２６相互の密接維持時における可変容器１１には興趣に富む二分割ハート型開口面１１ａを形成しつつ、収納した物品の飛び出し阻止のための障壁や、中を覗き見しずらくする目隠しとしての機能を付与することができる。
【００３０】
さらに、一側容器部１２と他側容器部２２とをヒンジ手段３２を介して図３（ｂ）や図３（ｃ）に示すように回動させた際には、部分施蓋部１９，２９で覆われた半円開口部１３，２３相互間にあたかも蝶の飛翔状態を彷彿とさせる幾何学的模様を現出させながら興趣に富む動的視覚印象を感受させることで使用する者の心を和ませることができる。
【００３１】
一方、部分施蓋部１９，２９を文字を含む各種のキャラクターの表示や適宜の彩色が自在な自由表示領域４５とする場合は、好みに応じた創作的表示面として有効に活用することで可変容器１１としての商品訴求力をさらに高めてやることができる。
【００３２】
また、一側容器部１２と他側容器部２２とがその用途および配置場所に対応させた適宜のサイズを付与して形成されている場合には、例えば小・中・大の各種サイズを用意することで多様なニーズに柔軟に対応させ得る可変容器１１として提供することができる。
【００３３】
以上は、本考案を図示例に基づいて説明したものであり、その具体的な内容はこれ限定されるものではない。例えば一側容器部１２と他側容器部２２との各弧状壁部１５，２５や垂直壁部１６，２６の各表面は、これを見る者に対し強い訴求力を発揮させるため適宜の文字・図形・色彩・模様などを付すための表示面として有効活用することもできる。また、半円開口部１３，２３に対する部分施蓋部１９，２９の覆設割合は、可変容器１１に二分割ハート型開口面１１ａが合成できる限り、特に限定されるものではなく、所望に応じて適宜選択することができる。さらに、一側容器部１２と他側容器部２２とからなる可変容器１１には、使用する者の要望に応じるべく、例えば可燃物と不燃物とに分別収納できるゴミ容器としての機能を発揮できるように形成したり、身飾品や化粧品を好みに応じて２種類に分類して収納保管できるやや座高の低い保管容器としての機能を発揮できるように形成することができる。
【符号の説明】
【００３４】
１１  可変容器
１１ａ  二分割ハート型開口面
１２  一側容器部
１２ａ  頂面
１３  半円開口部
１３ａ  開口縁部
１４  底部
１４ａ  弧状周縁
１４ｂ  直進縁
１５  弧状壁部
１５ａ  一側開放縁
１５ｂ  他側開放縁
１６  垂直壁部
１７  一側縦辺部
１８  他側縦片部
１８ａ  当接端面
１９  部分施蓋部
２２  他側容器部
２２ａ  頂面
２３  半円開口部
２３ａ  開口縁部
２４  底部
２４ａ  弧状周縁
２４ｂ  直進縁
２５  弧状壁部
２５ａ  一側開放縁
２５ｂ  他側開放縁
２６  垂直壁部
２７  一側縦辺部
２８  他側縦片部
２８ａ  当接端面
２９  部分施蓋部
３２  ヒンジ手段
３３，３４  連結管部
３３ａ，３４ａ軸支孔
３５  支軸
３６  蝶番
４２  止着手段
４３  嵌合用凹部
４４  嵌合用凸部
４５  自由表示領域
５１  直角隅部
５２  垂直面
【図１】
0003229164.tif 000003
【図２】
0003229164.tif 000004
【図３】
0003229164.tif 000005
【図４】
0003229164.tif 000006
【図５】
0003229164.tif 000007
【図６】
0003229164.tif 000008